【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
再吸収による損失を最小限にするために、少なくとも５０ｎｍストークスシフトされたポーラロンエミッションを有する２次元ペロブスカイトを備える放射線検出器。
【請求項２】
前記２次元ペロブスカイトは、８ｎｓ以下、７ｎｓ以下、６ｎｓ以下、及び５ｎｓ以下のうちの１つの、室温でのシンチレーション減衰時間を有する、請求項１に記載の放射線検出器。
【請求項３】
シンチレータとして構成される、請求項１又は請求項２に記載の放射線検出器。
【請求項４】
光検出器として構成される、請求項１又は請求項２に記載の放射線検出器。
【請求項５】
前記２次元ペロブスカイトは、単結晶の形態である、請求項１〜４のうちのいずれか一項に記載の放射線検出器。
【請求項６】
前記２次元ペロブスカイトは、膜の形態である、請求項１〜４のうちのいずれか一項に記載の放射線検出器。
【請求項７】
ＥＤＢＥ、Ｎ−ＭＥＤＡ、ＡＰＩ、ＡＥＴＵ、又はＣＥＡからなる群から選択されるカチオンを備える、請求項１〜６のうちのいずれか一項に記載の放射線検出器。
【請求項８】
ハロゲン化物、ＩＶａ族金属、遷移金属、ポスト遷移金属、又はランタニドのうちの１つ又は複数を備える、請求項１〜７のうちのいずれか一項に記載の放射線検出器。
【請求項９】
前記２次元ペロブスカイトは、一般式（Ａ）２（Ｂ）ｎ−１［ＰｂｎＸ３ｎ＋１］を有するＲｕｄｄｌｅｓｄｅｎ−Ｐｏｐｐｅｒ系列の層状ハイブリッドペロブスカイトであり、ここで、Ａは嵩高いカチオンであり、Ｂは小さいカチオンであり、Ｘはアニオンである、請求項１〜８のうちのいずれか一項に記載の放射線検出器。
【請求項１０】
前記２次元ペロブスカイトは、少なくとも１００ｎｍ、少なくとも２００ｎｍ、又は少なくとも３００ｎｍだけストークスシフトされたポーラロンエミッションを有する、請求項１〜９のうちのいずれか一項に記載の放射線検出器。
【請求項１１】
前記２次元ペロブスカイトの層状構造に平行な方向において形成された横方向の接触子を備える、請求項１〜１０のうちのいずれか一項に記載の放射線検出器。
【請求項１２】
前記２次元ペロブスカイトは、機能性有機カチオンをドープされ、前記放射線検出器は、前記２次元ペロブスカイトの層状構造に直交する方向において形成された縦方向の接触子を備える、請求項１〜１０のうちのいずれか一項に記載の放射線検出器。
【請求項１３】
少なくとも５０ｎｍの半値全幅（ＦＷＨＭ）を有する広帯域ルミネセンスのために構成された、請求項１〜１２のうちのいずれか一項に記載の放射線検出器。
【請求項１４】
少なくとも１００ｎｍの半値全幅（ＦＷＨＭ）を有する広帯域ルミネセンスのために構成された、請求項１〜１３のうちのいずれか一項に記載の放射線検出器。
【手続補正２】
【補正対象書類名】明細書
【補正対象項目名】発明の名称
【補正方法】変更
【補正の内容】
【発明の名称】放射線検出のための装置
【手続補正３】
【補正対象書類名】明細書
【補正対象項目名】００９７
【補正方法】変更
【補正の内容】
【００９７】
[0081]本発明のある特定の実施形態のみが詳細に説明されたが、添付の特許請求の範囲に従って多くの変形が可能である。例えば、一実施形態に関して説明された特徴は、１つ又は複数の他の実施形態に組み込まれ得、その逆もまた同様である。
参考文献
[0082]以下の参考文献は、本発明の背景に関連して、参照により本明細書に組み込まれている。
1. Blasse, G., Scintillator materials, Chem. Mater. 6, 1465-1475 (1994).
2. Nikl, M., Scintillation detectors for x-rays, Meas. Sci. Technol. 17, R37-R54 (2006).
3. Street, R. A., Ready, S. E., Van Schuylenbergh, K., Ho, J., Boyce, J. B., Nylen, P., Shah, K., Melekhov, L., and Hermon, H., Comparison of PbI2 and HgI2 for direct detection active matrix x-ray image sensors, J. Appl. Phys. 91, 3345-3355 (2002).
4.  Szeles, C., CdZnTe and CdTe materials for X-ray and gamma ray radiation detector applications, phys. stat. sol. (b) 241, 783-790 (2004).
5. Kasap, S. and Rowlands, J., Direct-conversion flat-panel X-ray image sensors for digital radiography, Proc. IEEE 90, 591-604 (2002). 
6. Buechele, P., Richter, M., Tedde, S. F., Matt, G. J., Ankah, G. N., Fischer, R., Biele, M., Metzger, W., Lilliu, S., Bikondoa, O., Macdonald, J. E., Brabec, C. J., Kraus, T., Lemmer, U., and Schmidt, O., X-ray imaging with scintillator-sensitized hybrid organic photodetectors, Nature Photon. 9, 843-848 (2015).
7. Heiss, W. and Brabec, C., X-ray imaging: Perovskites target X-ray detection, Nature Photon. 10, 288-289 (2016).
8. Tegze, M. and Faigel, G., X-ray holography with atomic resolution, Nature 380, 49-51 (1996).
9. Rieder, R., Economou, T., Wanke, H., Turkevich, A., Crisp, J., Bruckner, J., Dreibus, G., and McSween, H., The chemical composition of Martian soil and rocks returned by the mobile alpha proton x-ray spectrometer: Preliminary results from the x-ray mode, Science 278, 1771-1774 (1997).
10. Yakunin, S., Sytnyk, M., Kriegner, D., Shrestha, S., Richter, M., Matt, G. J., Azimi, H.,Brabec, C. J., Stangl, J., Kovalenko, M. V., and Heiss, W., Detection of X-ray photons by solution-processed lead halide perovskites, Nature Photon. 9, 444-450 (2015). 
11. Wei, H., Fang, Y., Mulligan, P., Chuirazzi, W., Fang, H.-H., Wang, C. , Ecker, B. R., Gao, Y., Loi, M. A., Cao, L., and Huang, J., Sensitive X-ray detectors made of methylammonium lead tribromide perovskite single crystals, Nature Photon. 10, 333-339 (2016). 
12. Yakunin, S., Dirin, D. N., Shynkarenko, Y., Morad, V., Cherniukh, I., Nazarenko, O.,  Kreil, D., Nauser, T., and Kovalenko, M. V., Detection of gamma photons using solution-grown single crystals of hybrid lead halide perovskites, Nature Photon. AOP (2016). 
13. Chin, X.Y., Cortecchia, D., Yin, J., Bruno, A., and Soci, C., Lead iodide perovskite light-emitting field-effect transistor, Nature Comm. 6, 7383-1-7383-9 (2015).
14. Dou, L., Yang, Y. M., You, J.,  Hong, Z., Chang, W.H., Li, G., and Yang, Y., Solution-processed hybrid perovskite photodetectors with high detectivity, Nature Comm. 5, 5404-1-5404-6 (2014). 
15. Chondroudis, K. and Mitzi, D. B., Electroluminescence from an organic-inorganic perovskite incorporating a quaterthiophene dye within lead halide perovskite layers, Chem. Mater. 11, 3028-3030 (1999).
16. Tan, Z.-K., Moghaddam, R. S., Lai, M. L., Docampo, P., Higler, R., Deschler, F., Price, M., Sadhanala, A., Pazos, L. M., Credgington, D., Hanusch, F., Bein, T., Snaith, H. J., and Friend, R. H., Bright light-emitting diodes based on organometal halide perovskite, Nature Nanotech. 9, 687-692 (2014).
17. Xing, G., Mathews, N., Lim, S. S., Yantara, N., Liu, X., Sabba, D., Graetzel, M., Mhaisalkar, S.and Sum, T. C., Low-temperature solution-processed wavelength-tunable perovskites for lasing, Nature Mater. 13, 476-480 (2014).
18. Birowosuto, M. D. and Dorenbos, P., Novel γ- and X-ray scintillator research: on the emission wavelength, light yield and time response of Ce3+ doped halide scintillators, phys. stat. sol. (a) 206, 9-20 (2009).
19. Drozdowski, W., Wojtowicz, A. J., Lukasiewicz, T., and Kisielewski, J., Scintillation properties of LuAP and LuYAP crystals activated with Cerium and Molybdenum, Nucl. Instr. Meth. Phys. Res. A 562, 254-261 (2006).
20. Shibuya, K., Koshimizu, M., Takeoka, Y., and Asai, K., Scintillation properties of (C6H13NH3)(2)PbI4: Exciton luminescence of an organic/inorganic multiple quantum well structure compound induced by 2.0 MeV protons, Nucl. Instr. Meth. Phys. Res. B 194, 207-212 (2002).
21. Kishimoto, S., Shibuya, K., Nishikido, F., Koshimizu, M., Haruki, R., and Yoda, Y., Subnanosecond time-resolved x-ray measurements using an organic-inorganic perovskite scintillator, Appl. Phys. Lett. 93, 261901-1-261901-3 (2008).
22. Saidaminov, M. I., Abdelhady, A. L., Murali, B., Alarousu, E., Burlakov, V. M., Peng, W., Dursun, I., Wang, L., He, Y., Maculan, G., Goriely, A., Wu, T., Mohammed, O. F., and Bakr, O. M., High-quality bulk hybrid perovskite single crystals within minutes by inverse temperature crystallization, Nature Comm. 6, 7586-1-7586-6 (2015). 
23. Shi, D., Adinolfi, V., Comin, R., Yuan, M., Alarousu, E., Buin, A., Chen, Y., Hoogland, S., Rothenberger, A., Katsiev, K., Losovyj, Y., Zhang, X., Dowben, P. A., Mohammed, O. F., Sargent, E. H., and Bakr, O. M., Low trap-state density and long carrier diffusion in organolead trihalide perovskite single crystals, Science 347, 519-522 (2015).
24. Dohner, E. R., Jaffe, A., Bradshaw, L. R., and Karunadasa, H. I., Intrinsic white-light emission from layered hybrid perovskites, J. Am. Chem. Soc. 136, 13154-13157 (2014). 
25. van Loef, E. V. D., Dorenbos, P., van Eijk, C. W. E., Kraemer, K.  and Guedel, H. U., High-energy-resolution scintillator: Ce3+ activated LaBr3, Appl. Phys. Lett. 79, 1573-1-1573-3 (2001). 
26. Birowosuto, M. D., Dorenbos, P., van Eijk, C. W. E., Kraemer, K. W., and Guedel, H. U., Thermal quenching of Ce3+ emission in PrX3 ( X = Cl , Br ) by intervalence charge transfer, J. Phys. Condens. Matter 19, 256209-1-256209-16 (2007).27. Birowosuto, M. D., Dorenbos, P.. de Haas, J. T. M., van Eijk, C. W. E., Kraemer, K. W., and Guedel, H. U., Optical spectroscopy and luminescence quenching of LuI3: Ce3+, J. Lumin. 118, 308-316 (2006).
28. Birowosuto, M. D., Dorenbos, P., van Eijk, C. W. E., Kraemer, K. W., and Guedel, H. U., High-light-output scintillator for photodiode readout: LuI3: Ce3+, J. Appl. Phys. 99, 123520-1-123520-4 (2006). 
29. Cortecchia, D., Yin, J., Lova, P., Mhaisalkar, S., Gurzadyan, G. G., Bruno, A., and Soci, C.,  Polaron self-localization in white-light emitting hybrid perovskites, arXiv:1603.01284 [cond-mat.mtrl-sci] (2016).
30. Birowosuto, M. D., Dorenbos, P., van Eijk, C. W. E., Kraemer, K. W., and Guedel, H. U., PrBr3: Ce3+: A New Fast Lanthanide Trihalide Scintillator, IEEE Trans. Nucl. Sci. 53, 3028-3030 (2006). 
31. van Eijk, C. W. E., de Haas, J. T. M., Rodnyi, P. A., Khodyuk, I. V., Shibuya, K., Nishikido, F., and Koshimizu, M., Scintillation properties of a crystal of (C6H5(CH2)2NH3)2PbBr4, IEEE Nuclear Science Symposium Conference Record 2008, 3525-3528 (2008). 
32. Bartram, R. H., Hamilton, D. S., Kappers, L., and Lempicki, A., Electron traps and transfer efficiency of cerium-doped aluminate scintillators, J. Lumin. 75, 183-192 (1997).
33. Drozdowski, W., Brylew, K., Witkowski, M. E., Wojtowicz, A. J., Solarz, P., Kamada, K., and Yoshikawa, A., "Studies of light yield as a function of temperature and low temperature thermoluminescence of Gd3Al2Ga3O12: Ce scintillator crystals, Opt. Mater. 36, 1665-1669 (2014).
34. Randall, J., and Wilkins, M., The phosphorescence of various solids, Proc. Roy. Soc. London A 184, 366-407 (1945).
35. Wojtowicz, A. J., Glodo, J., Drozdowski, W., and Przegietka, K. R., Electron traps and scintillation mechanism in YAlO3: Ce and LuAlO3: Ce scintillators J. Lumin. 79, 275-291 (1998).
36. Ogorodnikov, I. N.  and Poryvai, N. E., Thermoluminescence kinetics of lithium borate crystals,  J. Lumin. 132, 1318-1324 (2012).
37. Liu, C., Qi, Z., Ma, C.-g., Dorenbos, P., Hou, D., Zhang, S., Kuang, X., Zhang, J., and Liang, H., High light yield of Sr8(Si4O12)Cl8: Eu2+ under x-ray excitation and its temperature-dependent luminescence characteristics Chem. Mater. 26, 3709-3715 (2014).
38. Sutter-Fella, C. M., Li, Y., Amani, M., Ager III, J. W., Toma, F.  M., Yablonovitch, E., Sharp, I. D., and Javey, A., High photoluminescence quantum yield in band gap tunable bromide containing mixed halide perovskites, Nano Lett. 16,  800-806 (2016).
39. Kolk, E. V. D.  and Dorenbos, P., Systematic and material independent variation of electrical, optical ,and chemical properties of Ln materials over the Ln series ( Ln ) La, Ce, Pr, .., Lu, Chem. Mater. 18, 3458-3462 (2006).
40. Birowosuto, M. D., Dorenbos, P., van Eijk, C. W. E., Kraemer, K. W., and Guedel, H. U., Ce3+ activated LaBr3-xIx : High-light-yield and fast-response mixed halide scintillators, J. Appl. Phys. 103, 103517-1-103517-6 (2008).
41. Cortecchia, D., Dewi, H. A., Yin, J., Bruno, A., Chen, S., Baikie, T., Boix, P. P., Graetzel, M., Mhaisalkar, S., Soci, C., and Mathews, N., Inorganic Chemistry 2016, 55, 1044. 
42. Ahmad, S., Kanaujia, P. K., Beeson, H. J., Abate, A., Deschler, F., Credgington, D., Steiner, U., Prakash, G. V., and Baumberg, J. J., ACS Applied Materials & Interfaces 2015, 7, 25227. 
43. Birowosuto, M. D., Cortecchia, D., Drozdowski, W., Brylew, K., Lachmanski, W., Bruno. A., and Soci, C., X-ray Scintillation in Lead Halide Perovskite Crystals Scientific Reports 6, 37254 (2016).
44. D. Cortecchia et al, J. Mater. Chem. C, 5, 2771-2780 (2017). 
45. D. Cortecchia et al, J. Am. Chem. Soc., 139 (1), pp 39-42 (2017). 
46. J. Yin et al, ACS Energy Lett., 2 (2), pp 417-423 (2017).
以下に、出願当初の特許請求の範囲に記載の事項を、そのまま、付記しておく。
［１］  再吸収による損失を最小限にするために、少なくとも５０ｎｍストークスシフトされたポーラロンエミッションを有する２次元ペロブスカイト
を備える電磁波検出器。
［２］  前記２次元ペロブスカイトは、８ｎｓ以下、７ｎｓ以下、６ｎｓ以下、及び５ｎｓ以下のうちの１つの、室温でのシンチレーション減衰時間を有する、［１］に記載の電磁波検出器。
［３］  シンチレータとして構成される、［１］又は［２］に記載の電磁波検出器。
［４］  光検出器として構成される、［１］又は［２］に記載の電磁波検出器。
［５］  前記２次元ペロブスカイトは、単結晶の形態である、［１］〜［４］のうちのいずれか一項に記載の電磁波検出器。
［６］  前記２次元ペロブスカイトは、膜の形態である、［１］〜［４］のうちのいずれか一項に記載の電磁波検出器。
［７］  ＥＤＢＥ、Ｎ−ＭＥＤＡ、ＡＰＩ、ＡＥＴＵ、又はＣＥＡからなる群から選択されるカチオンを備える、［１］〜［６］のうちのいずれか一項に記載の電磁波検出器。
［８］  ハロゲン化物、ＩＶａ族金属、遷移金属、ポスト遷移金属、又はランタニドのうちの１つ又は複数を備える、［１］〜［７］のうちのいずれか一項に記載の電磁波検出器。
［９］  前記２次元ペロブスカイトは、一般式（Ａ）２（Ｂ）ｎ−１［ＰｂｎＸ３ｎ＋１］を有するＲｕｄｄｌｅｓｄｅｎ−Ｐｏｐｐｅｒ系列の層状ハイブリッドペロブスカイトであり、ここで、Ａは嵩高いカチオンであり、Ｂは小さいカチオンであり、Ｘはアニオンである、［１］〜［８］のうちのいずれか一項に記載の電磁波検出器。
［１０］  前記２次元ペロブスカイトは、少なくとも１００ｎｍ、少なくとも２００ｎｍ、又は少なくとも３００ｎｍだけストークスシフトされたポーラロンエミッションを有する、［１］〜［９］のうちのいずれか一項に記載の電磁波検出器。
［１１］  前記２次元ペロブスカイトの層状構造に平行な方向において形成された横方向の接触子を備える、［１］〜［１０］のうちのいずれか一項に記載の電磁波検出器。
［１２］  前記２次元ペロブスカイトは、機能性有機カチオンをドープされ、前記電磁波検出器は、前記２次元ペロブスカイトの層状構造に直交する方向において形成された縦方向の接触子を備える、［１］〜［１０］のうちのいずれか一項に記載の電磁波検出器。
［１３］  少なくとも５０ｎｍの半値全幅（ＦＷＨＭ）を有する広帯域ルミネセンスのために構成された、［１］〜［１２］のうちのいずれか一項に記載の電磁波検出器。
［１４］  少なくとも１００ｎｍの半値全幅（ＦＷＨＭ）を有する広帯域ルミネセンスのために構成された、［１］〜［１３］のうちのいずれか一項に記載の電磁波検出器。